(57)【特許請求の範囲】
【請求項１】
画像選択装置が複数の画像を選択する方法であって、
前記画像選択装置が、前にマーキングされた画像を含む識別画像を見つけることができるかどうかを決定するべく、並べて配置される複数の画像を有するギャラリーの前記複数の画像を検索する段階を備え、
前記識別画像を見つけることができる場合は、
前記画像選択装置が、前記識別画像を境界として使用する段階と、
前記画像選択装置が、前記境界の後に続く複数の画像から少なくとも１つの画像を選択する段階と、
前記画像選択装置が、前記選択された画像のうちの少なくとも最後に配置された画像にマーキングする段階とを備え、
前記識別画像を見つけることができない場合は、前記画像選択装置が、前記ギャラリーの前記複数の画像から少なくとも１つの画像を選択する段階と、
前記画像選択装置が、前記選択された画像のうちの少なくとも最後に配置された画像にマーキングする段階と
を備える方法。
【請求項２】
画像選択装置が複数の画像を選択する方法であって
前記画像選択装置が、複数の画像のギャラリーにアクセスする段階と、
前記画像選択装置が、複数の画像の前記ギャラリー内に前にマーキングされた画像を含む識別画像が存在かどうかを決定する段階と、
前記画像選択装置が、複数の画像の前記ギャラリーから複数の画像の第１サブセットを選択する段階であって、複数の画像の前記第１サブセットは、前記識別画像が存在する場合、前記識別画像の後に配置される、段階と、
前記画像選択装置が、識別方法を使用して複数の画像の前記第１サブセットのうちの少なくとも最後に配置された画像にマーキングする段階と
を備える方法。
【請求項３】
複数の画像の前記第１サブセットにマーキングする段階の前に、複数の画像の前記第１サブセットをリモートサーバに送信する段階をさらに備える、請求項２に記載の方法。
【請求項４】
複数の画像の前記第１サブセットを複数の第１識別画像として識別する段階と、
複数の画像の前記ギャラリーに再アクセスする段階と、
複数の画像の前記ギャラリーから複数の画像の第２サブセットを選択する段階であって、複数の画像の前記第２サブセットは、前記複数の第１識別画像のうちの少なくとも１つの後に配置される、段階と、
複数の画像の前記第２サブセットをリモートサーバに送信する段階と、
複数の画像の前記第２サブセットにマーキングし、複数の画像の前記第２サブセットを複数の第２識別画像として識別する段階と
をさらに備える、請求項３に記載の方法。
【請求項５】
複数の画像の前記ギャラリーからの選択された画像の選択を受信する段階であって、前記選択された画像は、リモートサーバに前もって送信された、段階と、
前記選択された画像に自動的にマーキングをする段階と、
前記選択された画像を再送信するべく、ユーザに承認を要求するよう促す段階と、
前記ユーザが再送信を確認した場合、前記選択された画像から前記マーキングを除去し、前記選択された画像をリモートサーバに送信する段階と、
前記ユーザが再送信を拒否した場合、前記ユーザが１または複数の他の画像を選択することを可能にし、前記１または複数の他の画像をリモートサーバに送信する段階であって、前記複数の他の画像は、前記選択された画像を含まない、段階とを
備える、請求項２から４のうちのいずれか一項に記載の方法。
【請求項６】
複数の画像の前記ギャラリーの複数の前もって選択された画像が、複数の画像の前記ギャラリーにアクセスする前の、予め定義された時間間隔内に前もって選択されているかどうかを決定する段階と、
前記複数の前もって選択された画像にマーキングする段階と、
前記複数の前もって選択された画像をリモートサーバに送信する段階とを
さらに備える、請求項２から５のうちのいずれか一項に記載の方法。
【請求項７】
前記複数の画像の第１サブセットにマーキングする段階は、
複数の画像の前記第１サブセットを順番に配置する段階と、
順番に配置された複数の画像の前記第１サブセットの最後の画像を前記識別画像としてマーキングする段階と
を有する、請求項２から６のうちのいずれか一項に記載の方法。
【請求項８】
複数の画像の前記第１サブセットにマーキングする段階は、
複数の画像の前記第１サブセットの各画像にマーキングする段階と、
複数の画像の前記第１サブセットの各画像を複数の識別画像として使用する段階と
を有する、請求項２から７のうちのいずれか一項に記載の方法。
【請求項９】
複数の画像の前記第１サブセットにマーキングする段階は、
複数の画像の前記第１サブセットの最後の画像に第１識別方法でマーキングする段階と、
複数の画像の前記第１サブセットの複数の残りの画像に第２識別方法でマーキングする段階であって、前記複数の残りの画像は、前記最後の画像を含まない、段階と、
前記最後の画像および前記複数の残りの画像を複数の識別画像として使用する段階と
を有する、請求項２から８のうちのいずれか一項に記載の方法。
【請求項１０】
前記識別方法は、動的識別方法および特殊スタイル識別方法のうちの１つを含む、請求項２から９のうちのいずれか一項に記載の方法。
【請求項１１】
前記動的識別方法は、ジッタ識別方法およびフリッカ識別方法のうちの１つを有し、前記特殊スタイル識別方法は、境界識別方法、テキスト識別方法および記号識別方法のうちの１つを含む、請求項１０に記載の方法。
【請求項１２】
１または複数のプロセッサと、
コンピュータ実行可能な複数の命令を中に格納する非一時的メモリを備えた装置において、
前記複数の命令は、前記複数のプロセッサによって実行される場合、前記装置に
複数の画像のギャラリーにアクセスさせ、
前にマーキングされた画像を含む識別画像が複数の画像の前記ギャラリー内に存在するかどうかを決定させ、
複数の画像の前記ギャラリーから複数の画像の第１サブセットを選択させ、複数の画像の前記第１サブセットは、前記識別画像が存在する場合、前記識別画像の後に配置され、
識別方法を使用して複数の画像の前記第１サブセットのうちの少なくとも最後に配置された画像にマーキングさせる、
装置。
【請求項１３】
前記複数の命令は、複数の画像の前記第１サブセットにマーキングする前に、前記装置に複数の画像の前記第１サブセットをリモートサーバに送信させる複数の命令をさらに含む、請求項１２に記載の装置。
【請求項１４】
前記複数の命令は、前記装置に、
複数の画像の前記第１サブセットを複数の第１識別画像として識別させ、
複数の画像の前記ギャラリーに再アクセスさせ、
複数の画像の前記ギャラリーから複数の画像の第２サブセットを選択させ、複数の画像の前記第２サブセットは、前記複数の第１識別画像のうちの少なくとも１つの後に配置され、
複数の画像の前記第２サブセットをリモートサーバに送信させ、
複数の画像の前記第２サブセットにマーキングし、複数の画像の前記第２サブセットを複数の第２識別画像として識別させる、
複数の命令をさらに含む請求項１３に記載の装置。
【請求項１５】
前記複数の命令は、前記装置に、
複数の画像の前記ギャラリーからの選択された画像の選択を受信させ、前記選択された画像は、リモートサーバに前もって送信されたもので、
前記選択された画像に自動的にマーキングさせ、
前記選択された画像を再送信するべく、ユーザに承認を要求するよう促す段階と、
前記ユーザが再送信を確認した場合、前記選択された画像から前記マーキングを除去させるとともに、前記選択された画像をリモートサーバに送信させ、
前記ユーザが再送信を拒否した場合、前記ユーザが１または複数の他の画像を選択することを可能にさせるとともに、前記１または複数の他の画像をリモートサーバに送信させ、前記複数の他の画像は、前記選択された画像を含まない、
複数の命令をさらに含む請求項１２から１４のうちのいずれか一項に記載の装置。
【請求項１６】
前記複数の命令は、前記装置に、
複数の画像の前記ギャラリーの複数の前もって選択された画像が、複数の画像の前記ギャラリーにアクセスする前に、予め定義された時間間隔内に前もって選択されているかどうかを決定させ、
前記複数の前もって選択された画像にマーキングさせ、
前記複数の前もって選択された画像をリモートサーバに送信させる、
複数の命令をさらに含む請求項１２から１５のうちのいずれか一項に記載の装置。
【請求項１７】
前記装置に、複数の画像の前記第１サブセットにマーキングさせる前記複数の命令は、前記装置に、
複数の画像の前記第１サブセットを順番に配置させ、
順番に配置された複数の画像の前記第１サブセットの最後の画像を前記識別画像として使用させる、
複数の命令を含む請求項１２から１６のうちのいずれか一項に記載の装置。
【請求項１８】
前記装置に、複数の画像の前記第１サブセットにマーキングさせる前記複数の命令は、前記装置に、
複数の画像の前記第１サブセットの各画像にマーキングさせ、
複数の画像の前記第１サブセットの各画像を複数の識別画像として使用させる、
複数の命令を含む請求項１２から１７のうちのいずれか一項に記載の装置。
【請求項１９】
前記装置に、複数の画像の前記第１サブセットにマーキングさせる前記複数の命令は、前記装置に、
複数の画像の前記第１サブセットの最後の画像に第１識別方法でマーキングさせ、
複数の画像の前記第１サブセットの複数の残りの画像に第２識別方法でマーキングさせ、前記複数の残りの画像は、前記最後の画像を含まないもので、
前記最後の画像および前記複数の残りの画像を複数の識別画像として使用させる、
複数の命令を含む請求項１２から１８のうちのいずれか一項に記載の装置。
【請求項２０】
前記識別方法は、動的識別方法および特殊スタイル識別方法のうちの１つを含む、請求項１２から１９のうちのいずれか一項に記載の装置。
【請求項２１】
前記動的識別方法は、ジッタ識別方法およびフリッカ識別方法のうちの１つを含み、前記特殊スタイル識別方法は、境界識別方法、テキスト識別方法および記号識別方法のうちの１つを含む、請求項２０に記載の装置。
【発明の詳細な説明】
【技術分野】
【０００１】
［関連出願の相互参照］  この出願は、２０１４年８月８日に出願された中国特許出願第２０１４１０３８９８９２．９号および２０１５年７月１７日に出願されたＰＣＴ出願第ＰＣＴ／ＣＮ２０１５／０８４３２０号の優先権の利益を主張するものであり、それらの全体を本明細書中に参照によって引用される。
【０００２】
本開示は、画像処理の分野に関し、特に、画像選択の方法および装置に関する。
【背景技術】
【０００３】
目下のところ、比較的先進的なモバイル機器のせいで、大抵のユーザは、かれらのライフイベントにて、学校で、またはレクリエーション活動の間に撮られた複数の画像によってかれらの生活上の出来事を共有することを期待する。ユーザが、モバイル機器上のソーシャルソフトウェアによって複数の画像を共有する場合、１つの試みにて送信されるべく許容される画像数上の制限に起因して、多数の画像を送信する複数の試みがしばしば必要とされる。複数の試みの間、ユーザは、複数画像を選択および送信するべく、モバイル機器上のアルバムに繰り返しアクセスする必要がある。
【０００４】
現在のところ、ユーザは、複数の画像を選択するべくモバイル機器のアルバムにアクセスする毎に、既存の技術は大抵、ユーザに複数の画像をスクロールさせ、画像が送信されたかどうかを調べることを要求する。ユーザは次に、非選択である複数の画像をスクロールし、選択し続けることが可能である。
【０００５】
しかしながら、上記の方法にて画像を閲覧または選択すれば、判断間違いに容易に至る。これは、連続して撮られた画像を区別しなければならない場合に特に該当する。現在の方法は、閲覧速度を落とすだけでなく、さらに画像転送エラーを生じ、複数の画像の繰り返された共有または送信という結果になる。
【発明の概要】
【０００６】
本開示の複数の実施形態は、複数の送信された画像と複数の他の画像を迅速に区別することができないことに起因した従来技術の画像フィルタリングでの低速度の課題に取り組むべく、画像選択方法を提供する。
【０００７】
本開示の複数の実施形態によって開示される技術スキームは、上記の技術課題に取り組むことであり、以下に説明される。
【０００８】
モバイル機器のギャラリーから複数画像を迅速に選択するために複数の画像を選択する方法が開示され、その方法は、位置画像を見つけることができるかどうかを決定するべく、ギャラリーの複数の画像から検索する工程、位置画像を見つけることができる場合、位置画像を境界として使用し、境界の外側の複数の画像の複数の他の画像から複数画像を選択する工程、位置画像を見つけることができない場合、ギャラリーの複数の画像から画像を選択する工程、および選択された画像にマーキングする工程を備える。
【０００９】
あるいは、複数の選択された画像にマーキングするマーキング方法は、ギャラリーから複数画像を選択する工程、順番に配置された複数画像から、最後の画像にマーキングする工程、および最後の画像を位置画像として使用する工程を備える。
【００１０】
あるいは、複数の選択された画像にマーキングするマーキング方法は、ギャラリーから複数画像を選択する工程、選択された複数画像の全てにマーキングする工程、および選択された複数画像を複数の位置画像として使用する工程を備える。
【００１１】
あるいは、複数の選択された画像にマーキングするマーキング方法は、ギャラリーから複数画像を選択する工程、複数画像から最後の画像と、残りの複数の画像とに別々にマーキングする工程、および複数の位置画像として最後の画像および複数の他の画像を使用する工程を備え、最後の画像および複数の他の画像は異なるようにマーキングされる。
【００１２】
あるいは、複数の選択された画像は、動的識別および特殊スタイル識別なる識別方法のうちの少なくとも１つによってマーキングされる。
【００１３】
あるいは、動的識別は、ジッタ識別およびフリッカ識別のうちの少なくとも１つを含み、特殊スタイル識別は、境界識別、テキスト識別および記号識別のうちの少なくとも１つを含む。
【００１４】
あるいは、位置画像を見つけることができた場合、位置画像を境界として使用する工程と、境界の外側の複数の画像の複数の他の画像から複数画像を選択する工程とを含む手順はさらに、位置画像が選択された場合、ユーザに位置画像を再選択するかどうかを決定するように促すべく再度位置画像にマーキングする工程と、位置画像を再選択する必要がある場合、位置画像を再選択し、位置画像からマーキングを除去する工程と、位置画像を再選択する必要がない場合、選択を継続し、位置画像以外の複数の画像を選択する工程とを含む。
【００１５】
本開示はさらに、ギャラリーから複数画像を選択する画像選択装置を開示し、ギャラリーの位置画像を検索するように構成される画像検索ユニットと、位置画像を識別し、位置画像を境界として使用するように構成される画像識別ユニットと、ギャラリーの、位置画像以外の複数の画像を選択するように構成される画像選択ユニットと、複数の選択された画像にマーキングするように構成される画像マーキングユニットとを備える。
【００１６】
本開示はさらに、ギャラリーから複数画像を迅速に選択し、それらを送出する画像送信方法を開示し、その方法は、ギャラリーから複数画像を選択する工程と、複数の選択された画像を送出する工程と、この試みにてギャラリーから選択された複数の画像を複数の第１位置画像として使用し、複数の第１位置画像にマーキングする工程と、２度目にギャラリーにアクセスする工程と、複数の第１位置画像を境界として使用して、複数の第１位置画像以外の複数の画像を選択し、複数の選択された画像を送出し続ける工程と、一方、複数の選択された画像を２度目の試みにて複数の第２位置画像として使用し、複数の第２位置画像にマーキングする工程と、選択される必要がある複数の画像の全てが選択および送出されるまで、複数の画像を選択するべくギャラリーに再度アクセスする工程とを備える。
【００１７】
あるいは、複数の第１位置画像は、第１の試みにてギャラリーから選択された最後の画像を含み、複数の第１位置画像は複数の中間カットオフポイントとして使用される。
【００１８】
あるいは、複数の第１位置画像は、第１の試みにてギャラリーから選択された複数の画像の全てを備え、複数の第１位置画像は複数の送信された画像としてマーキングされ、複数の他の画像は複数の第１位置画像に基づき選択される。
【００１９】
あるいは、複数の第１位置画像は、第１の試みにてギャラリーから選択された複数の画像の全てを含み、ギャラリーから選択された最後の画像と、複数の他の画像とは、別々にマーキングされ、最後の画像は、中間カットオフポイントとして使用される。
【００２０】
あるいは、複数の第２位置画像にマーキングするマーキング方法は、複数の第１位置画像にマーキングするマーキング方法と同じである。
【００２１】
あるいは、複数の第１位置画像および複数の第２位置画像は、ジッタ識別およびフリッカ識別のうちの少なくとも１つの識別方法、または、境界識別、テキスト識別および記号識別のうちの少なくとも１つの識別方法によってマーキングされる、あるいは、複数の第１位置画像および複数の第２位置画像は、ジッタ識別およびフリッカ識別のうちの少なくとも１つの識別方法と、境界識別、テキスト識別および記号識別のうちの少なくとも１つの識別方法とによってマーキングされる。
【００２２】
本開示はさらに、ギャラリーから複数画像を選択および送信する画像送信装置を開示し、その装置は、ギャラリーの位置画像を検索するように構成される画像検索ユニットと、位置画像を識別し、位置画像を境界として使用するように構成される画像識別ユニットと、ギャラリーにて位置画像以外の複数の画像を選択するように構成される画像選択ユニットと、画像選択ユニットによって選択された複数の画像を送信および共有するように構成される画像送信ユニットと、送信および共有された複数の画像にマーキングするように構成される画像マーキングユニットとを含む。
【００２３】
また、本開示は、複数のユーザに複数の送信された画像を再度送信するかどうかについてプロンプトを提供するために構成される、複数の繰り返された画像を送信するプロンプティング方法を開示し、その方法は、ギャラリーから複数画像を選択し、複数の選択された画像を送出し、および複数の送信された画像にマーキングする工程と、ギャラリーに再度アクセスし、選択および送信された画像が選択された場合、送信された画像に自動的にマーキングし、選択された画像を再送信するかどうかについて複数のユーザにプロンプトを提供する工程と、送信された画像を再送信することが必要である場合、そのマーキングは除去され、選択された状態が表示されるべく、送信された画像を再選択し、画像の送出を終了する工程と、送信された画像を再送信することが必要ではない場合、複数の他の画像にフィルターをかけて、それらを選択し続け、送信操作を終了する工程とを備える。
【００２４】
任意で、送信された画像に自動的にマーキングする工程は、ジッタ識別およびフリッカ識別のうちの少なくとも１つを含む。
【００２５】
上記の技術スキームから分かるように、本開示の複数の実施形態によって提供される画像選択方法の複数の有利な効果は、本開示の実施された画像選択方法によれば、モバイル機器のギャラリーから複数の画像を閲覧または検索して、送信する場合、送信された、または送信されている複数の画像のうちの最後の画像は、その位置を識別するべくマーキングされることができ、ある期間後に複数の画像を再度選択するべくギャラリーにアクセスする場合、ユーザは、複数の前にマーキングされた画像からの複数の境界または複数の送信された画像のマーキングに基づいて複数の残りの画像をスクロールして選択し、複数の選択された画像を送信および共有し得る。複数の画像のマーキングを位置付けすることにより、鮮明な境界が、ギャラリーの複数の「送信済」画像と、複数の「未送信」画像との間に設定され、複数の送信された画像向けの複数の境界を位置付けし、複数の送信された画像を複数の未送信画像と迅速に区別することを可能にし、それにより画像選択プロセスのなんらかの障害を最小限にし、画像フィルタリング効率の改善、画像閲覧時間の短縮および複数の画像選択のコスト低減をもたらすことができる。
【００２６】
さらに、本開示によって実施された画像選択方法はまた、複数の選択された画像を迅速に識別し、モバイル機器上の意図しない操作が起きた場合に複数の送信された画像を再度送信するかどうか、またはユーザが送信された画像をいつ送信するべく意図的に選択するかを決定するように複数のユーザに促し、それにより画像送信および共有プロセスのフィルタリング効率を効果的に改善し、複数の意図しない操作のリスクを低減し、複数の画像の不必要な重複を回避することができる。
【図面の簡単な説明】
【００２７】
本開示の複数の実施形態の複数の技術スキームをより明らかに図示するべく、複数の実施形態または従来技術の説明に必要とされる図面は、以下に簡単に導入される。当業者はまた、過度な困難なしでこれらの図面から他の図面を導き出し得る。
【００２８】
【図１】本開示の実施形態により提供された画像選択方法のフロー図である。
【００２９】
【図２】本開示の実施形態により提供された画像選択装置のブロック図である。
【００３０】
【図３】本開示の実施形態により提供された画像送信方法のフロー図である。
【００３１】
【図４】本開示の実施形態により提供された画像送信装置のブロック図である。
【００３２】
【図５】本開示の実施形態により提供された複数の繰り返された画像を送信するためのプロンプティング方法のフロー図である。
【００３３】
【図６】本開示の例によって提供された画像選択方法のフロー図である。
【００３４】
【図７】本開示の例によって提供された画像選択方法向けのマーキング方法の図である。
【００３５】
【図８】本開示の例によって提供された画像選択方法向けのマーキング方法の図である。
【００３６】
【図９】本開示の例によって提供された画像選択方法向けのマーキング方法の図である。
【００３７】
【図１０】本開示の例によって提供された画像選択方法向けのマーキング方法の図である。
【００３８】
【図１１】本開示の例によって提供された画像選択方法向けのマーキング方法の図である。
【発明を実施するための形態】
【００３９】
本開示の複数の実施形態は、モバイル端末のギャラリーの複数の画像にマーキングして、それらの位置を位置付けし、それによりあらゆる無用な視覚上の障害を最小限にし、必要とされるどんな画像閲覧またはスクロールプロセスに対してもフィルタリング効率および速度を改善することが可能な画像選択方法を提供する。
【００４０】
先ず、本開示の１つの実施形態による画像選択方法の説明が提供される。
【００４１】
図１に示されるように、画像選択方法は、モバイル機器のギャラリーから複数画像を迅速に選択するために使用され（１０２）、画像選択工程は、位置画像を見つけることができるかどうかを決定するべく、ギャラリーの複数の画像から検索する工程（１０４）と、位置画像を見つけることができる場合、位置画像を境界として使用し、境界の外側の複数の画像からなる複数の他の画像から複数画像を選択する工程（１０８）と、位置画像を見つけることができない場合、ギャラリーに戻り、ギャラリーの複数の画像から複数の他の画像を選択する工程（１０６）と、複数の選択された画像にマーキングする工程（１１０、１１２）とを備える。
【００４２】
選択された画像にマーキングするマーキング方法は、以下のマーキング方法のうちのいずれか１つを備える。
（１）ギャラリーから複数画像を選択し、順番に配置された複数画像から最後の画像にマーキングし、最後の画像を位置画像として使用する方法。
（２）ギャラリーから複数画像を選択し、それらにマーキングし、識別された複数画像の全てを複数の位置画像として使用する方法。
（３）ギャラリーから複数画像を選択し、複数画像の最後の画像および残りの画像に別々にマーキングし、最後の画像および複数の他の画像を複数の位置画像として使用するが、最後の画像と複数の他の画像は違うようにマーキングされる方法。
【００４３】
さらに、位置画像が見つけることができた場合、位置画像を選択するべくクリックする工程は、ユーザが位置画像を選択する場合、位置画像に再度マーキングし、位置画像を再選択するかどうかについてユーザを促す工程と、位置画像を再選択することが必要である場合、それを再選択し、マーキングを除去する工程と、位置画像を再選択することが必要ではない場合、ギャラリーから複数の他の画像を検索および選択し続ける工程とをさらに含む。
【００４４】
画像がどのようにマーキングされたかに関して、この実施形態に提供される画像識別方法は、動的識別、特殊スタイル識別、または両方の組み合わせを含む。さらに、位置画像が選択された場合、位置画像は再度マーキングされてよく、ユーザは、位置画像を再選択するかどうかを決定するように促される。位置画像を再選択する必要がある場合、位置画像は再選択され、マーキングは除去される。位置画像を再選択する必要がない場合、ユーザは、ギャラリーをスクロールして複数の他の画像を選択し続ける。動的識別は、ジッタ識別およびフリッカ識別のうちの少なくとも１つを含み、特殊スタイル識別は、境界識別、テキスト識別および記号識別のうちの少なくとも１つを含む。
【００４５】
本開示の実施形態に提供される画像選択方法によれば、２度目にギャラリーにアクセスする場合に、複数の所望される画像がギャラリーから迅速に選択されように、選択された複数の画像はマーキングされ、複数の位置画像として使用され、それにより画像選択の効率を効果的に改善するとともに、複数の意図しない操作、または複数の重複された画像を選択することのリスクを低減することができる。
【００４６】
また、本開示によって実施される画像選択方法に関して、本開示は、図２に示されるように、画像選択装置を提供し、画像選択装置は、ギャラリーの位置画像を検索するように構成される画像検索ユニット１１を含む。
【００４７】
１つの実施形態において、画像検索ユニット１１は、位置画像がギャラリーに存在するかどうかを決定するように主として構成される（位置画像はギャラリーで識別された画像であり、位置画像は次の画像選択用の境界として使用される）。
【００４８】
画像選択装置はさらに、位置画像を識別するように構成される画像識別ユニット１２を含む。
【００４９】
いくつかの実施形態において、画像識別ユニット１２はさらに、識別モジュールおよび制御モジュールを含む。画像検索ユニット１１の検索プロセスの間、識別モジュールは、見つけられた画像が位置画像であるかどうかを識別する。識別モジュールが、見つけられた画像を位置画像として識別する場合、位置画像は、境界として使用される。画像選択ユニット１３は、制御モジュールの制御下で、境界の外側の複数の画像から画像を選択する。識別モジュールが、見つけられた画像を位置画像として識別しない場合、制御モジュールは画像選択ユニット１３を制御して、ギャラリーの初めから複数の画像を選択する。
【００５０】
画像選択装置はさらに、ギャラリーにて位置画像以外の複数の画像を選択するように構成される画像選択ユニット１３を含む。１つの実施形態において、画像選択ユニット１３は、位置画像に基づいて複数の画像を選択する。位置画像が存在する場合、位置画像は、画像選択を容易にするべく境界として使用される。位置画像が存在しない場合、複数の画像は要望どおりギャラリーから選択され得る。
【００５１】
画像選択装置はさらに、複数の選択された画像にマーキングするように構成される画像マーキングユニット１５を含む。１つの実施形態において、画像マーキングユニット１５は、動的識別モジュールおよび特殊スタイル識別モジュールを含む。画像選択ユニット１５が複数の画像を選択した後、複数の選択された画像は、ギャラリーの次のアクセスのための繰り返しの閲覧および選択を回避するべく、動的識別モジュールおよび特殊スタイル識別モジュールのうちの少なくとも１つによって識別され、それらを複数の位置画像にすることができる。
【００５２】
本開示により実施される画像選択装置は、画像検索ユニット１１、画像識別ユニット１２、画像選択ユニット１３および画像マーキングユニット１５を組み合わせた構造であり、画像マーキングユニット１５で複数の送信された画像にマーキングし、画像検索ユニット１１および画像識別ユニット１２によって実行される検索および識別を容易にし、それにより複数の画像の迅速な選択を達成することができる。
【００５３】
本開示の複数の技術スキームのより良き理解を当業者に提供するべく、本開示の複数の実施形態の複数の技術スキームは、本開示の複数の実施形態の図面を参照して以下に明確かつ十分に説明される。複数の説明される実施形態は、本開示の複数の実施形態の一部にすぎず、全ての実施形態ではないことは明らかである。本開示の複数の実施形態に基づいて、創造的な努力をすることなく当業者によって得られる複数の他の実施形態の全てが、本開示の保護範囲内に入るであろう。
【００５４】
上記に説明されることは、本開示の核となる概念である。本開示の複数のスキームのより良き理解を当業者に提供する、本開示はここで、添付図面を参照してさらに詳細に説明される。
【００５５】
以下は、添付図面を参照して本開示により実施される画像送信方法を詳細に説明する。図３に示される本開示の実施形態による画像送信方法を実施するプロセスにおいて、初めてモバイル機器上のギャラリーにアクセスする場合（３０２）、画像選択は、ギャラリーの複数画像のうちの１つで開始する。ユーザは、複数画像を選択し、それらを送出する（３０４）。これらの最初に選択された複数画像は、複数の第１位置画像として使用され、これらの第１位置画像は、マーキングされる（３０６）。さらに、２度目にモバイル機器上のギャラリーにアクセスし、複数の画像を選択する必要がある場合、ユーザは先ず複数の第１位置画像をスクロールして検索し、それらを境界として使用し得る（３０８）。ユーザは、ギャラリーの複数の他の画像を選択し、複数の選択された画像を送出し続け得る。一方、ギャラリーへの２度目のアクセスの間に選択された複数の画像が、複数の第２位置画像として使用され、これらの第２位置画像は、マーキングされる（３１０）。
【００５６】
また、１つの実施形態において、ユーザは、３度目にギャラリーにアクセスして複数の画像を選択し得る（３１２）。複数の選択された画像は、複数の第３マーキングされた画像としてマーキングされ、後に送信され得る。従って、より多くの画像が選択に必要とされる場合、選択はギャラリーの１度目および２度目のアクセスに基づいて行われ得、複数の選択された画像は連続的にマーキングされ、ギャラリーへの次のアクセスにて複数の送信された画像の迅速な識別を容易にし、それにより画像フィルタリング速度を増大し得る。そのような手順は、ギャラリーから選択される必要がある画像の全てが選択され、送信されるまで継続する。
【００５７】
１つの実施形態において、複数の第１位置画像および複数の第２位置画像などの複数の画像にマーキングすることで、それらの画像が次の画像選択用の複数のリファレンスとなる方法が説明される。具体的には、１つの実施形態において、ギャラリーから選択された画像にマーキングするマーキング方法は以下を含む。   Ｉ．最後の画像が位置画像として役立つことができるように、各試みにてギャラリーから連続して順序付けられ、選択された複数画像から最後の画像にマーキングする工程、および、位置画像を境界として設定する工程であって、これにより、ギャラリーへの次のアクセスの間に、ユーザは、この画像を見つけることにより、この画像の前に現れる画像が閲覧されているが、この画像に続く画像は閲覧されていないことを知る、工程。  ＩＩ．各試みにてギャラリーから選択された複数画像の全てにマーキングし、それらを複数の位置画像として使用する工程であって、その結果、ギャラリーへの次のアクセスの間に、ユーザは、これらの画像を見つけることにより、マーキングされた画像の全てが最後の試みの間に送信されており、これによりユーザは、複数の他の画像から直接選択することができる工程。  ＩＩＩ．各試みにてギャラリーから選択された複数画像を最後の画像および残りの画像へとグループ化する工程（すなわち、数個の選択された画像のうち、送信されている複数のもの）、および最後の画像および残りの画像に違うようにマーキングする工程であって、その結果、最後の画像は、複数の識別された画像のうち送信されている複数の他の画像と区別可能である、工程。このようにして、ギャラリーへの次のアクセスにて、複数の異なるマーキングの助けを借りて、ユーザは、複数の送信された画像の最後の画像および残りの画像を識別し、最後の画像を「閲覧された画像」と、「まだ閲覧されていない画像」との間の境界として設定し、複数の残りの画像を「送信された画像」として識別し、それにより繰り返しの閲覧および選択を回避することができる。
【００５８】
結果として、画像フィルタリングの速度は、上記に説明された３つのマーキング方法のうちの１つによって複数のユーザにより選択される複数の画像にマーキングすることにより効果的に改善することができる。さらに、１つの実施形態において、上述の３つのマーキング方法は、この実施形態によって提供された３つの一般的な実施モードにすぎない。これは、本出願の複数の画像マーキングが上記の３つのマーキング方法に限定されることを示唆しない。
【００５９】
さらに、１つの実施形態において、本開示の複数の画像マーキングは、動的識別または特殊スタイル識別、または両方の組み合わせで複数の選択された画像にマーキングする処理を含む。さらに、実際には、動的識別は、ジッタ識別およびフリッカ識別のうちの少なくとも１つを含み、特殊スタイル識別は、境界識別、テキスト識別および記号識別のうちの少なくとも１つを含む。画像は、ジッタ識別およびフリッカ識別を含む複数の動的識別のうちの少なくとも１つで、または、境界識別、テキスト識別および記号識別を含む複数の特殊スタイル識別のうちの少なくとも１つでマーキングすることができる。代わりに、または、前述と併用して、画像は、ジッタ識別およびフリッカ識別を含む動的識別のうちの２つで、または、境界識別、テキスト識別および記号識別を含む複数の特殊スタイル識別のうちの２つで同時にマーキングすることができる。代わりに、または、前述と併用して、画像は、ジッタ識別およびフリッカ識別を含む複数の動的識別のうちの１つと、境界識別、テキスト識別および記号識別を含む複数の特殊スタイル識別のうちの１つとの組み合わせでマーキングされ、画像を識別することをより容易に行うことができる。
【００６０】
図４に示されるように、画像送信装置の構造概略図が本開示の実施形態によって提供される。画像送信装置は、前に説明された画像送信方法を実行し得、ギャラリーの位置画像を検索するように構成される画像検索ユニット１１、位置画像を識別するように構成される画像識別ユニット１２、ギャラリーの位置画像以外の複数の画像を選択するように構成される画像選択ユニット１３、画像選択ユニットによって選択された複数の画像を送信および共有するように構成される画像送信ユニット１４、および選択された画像にマーキングするように構成される画像マーキングユニット１５を備える。
【００６１】
画像送信装置は、しきい期間を設定するように構成される時間設定ユニットをさらに含み、しきい期間は、複数の選択された画像が画像マーキングユニット１５によってマーキングされた後、複数の選択された画像に対して設定され、複数の画像のマーキング記録がしきい期間に達した時、複数の画像のマーキング記録は、自動的に除去され、しきい期間は、１時間に設定されるか、要望どおりに設定され得る。また、画像検索ユニット１１、画像識別ユニット１２、画像選択ユニット１３および画像マーキングユニット１５は、画像選択装置の実施形態のものと同一である。従って、詳細は、ここで繰り返されず、画像選択装置の実施形態の内容に言及することによって、参照することができる。画像送信ユニット１４に関して、各試みにてギャラリーから選択された画像は、画像送信ユニット１４によって送信および共有され得る。画像送信ユニット１４は、送信モジュールおよび制御モジュールを含み得る。複数の選択された画像は、送信モジュールによって送信され得る。送信後、送信された画像が画像識別ユニット１５によってマーキングされ、制御モジュールによって制御され、その結果、複数の送信された画像は、ギャラリーの次のアクセスにて容易に識別することができる。
【００６２】
本開示のこの実施形態に提供される画像送信装置は、画像送信方法と共に、複数の選択された画像を送信し、前にマーキングされた位置画像に基づき複数の画像を送信する次のプロセスにて複数の画像を検索および閲覧し、それにより繰り返し閲覧および選択を回避し、画像送信に費やされる時間を効果的に短縮し、ユーザ経験を向上させることが可能である。
【００６３】
図５は、本開示の実施形態により提供される繰り返し画像を送信するためのプロンプティング方法のフロー図である。
【００６４】
図５に示される開示によって提供される繰り返し画像を送信するためのプロンプティング方法の実施形態において、繰り返し画像を選択する方法は、以下を含む。  ［工程１］ギャラリーから複数画像を選択し、送信された画像にマーキングする。  工程１において、モバイル機器上のギャラリーにアクセスがなされ（５０２）、複数の画像が検索および識別され、その結果、複数の画像は、複数の識別された位置画像によって設定された境界に基づき選択することができ、位置画像が識別されない場合、ギャラリーの第１ページからの複数画像だけが選択および送信されることができる（５０４）。  ［工程２］ギャラリーに再度アクセスし（５０６）、選択および送信された画像が選択された場合、送信された画像に自動的にマーキングし、複数のユーザに選択された画像を再送信するかどうかについてプロンプトを提供する（５０８）。前に送信された複数の画像を送信することが必要であり、従って、ギャラリーにアクセスし、複数の対応する位置画像を見つけ、選択することが必要であり、この時に、複数の送信された画像を再送信するかどうかについてユーザにプロンプトを与えるべく、前のものとは異なる別の方法にて識別され得る。  ［工程３］複数の要求に基づき、複数の送信された画像を再送信するかどうかが決定され、そうなら、複数の画像を選択および送信し、再送信するならば、複数の他の画像を選択し続ける。
【００６５】
送信された画像が選択された場合、複数のユーザの複数の要求に基づき画像を再送信する必要があるかどうかが決定され得、必要であるならば、その識別子が除去され、選択された状態が表示されるように、送信された画像を再選択し、画像を送信し（５１０）、送信された画像を再送信する必要がないならば、複数の他の画像をスクロールし、選択し続け、送信操作を終了する（５１２）。さらに、送信後、位置画像がギャラリーの次のアクセスにて容易に見つけることができるように、この試みにて複数の送信された画像に再マーキングすることが必要であり、一方、複数の送信された画像に対する自動マーキング方法は、ジッタ識別およびフリッカ識別のうちの少なくとも１つを含み、複数のユーザに繰り返し送信される複数の画像向けの可視リマインダーを提供する。本開示のこの実施形態における複数の繰り返された画像を送信するためのプロンプティング方法によれば、ギャラリーから複数の画像を選択および送信する場合、送信された画像は、２度目にマーキングされ、それにより複数のユーザに画像を再送信するかどうかについてのアラートを与えることができる。これにより、複数の意図しない操作および複数の画像を繰り返し送信する可能性を効果的に低減する。
【００６６】
また、本開示はさらに、特に、複数の携帯電話機の操作の間に複数の選択された画像を送信することについての例を提供する。図７−図１１は、モバイル機器上の複数のギャラリー画像の送信および共有を示す。 
【００６７】
図７は、ユーザがモバイル端末上のギャラリーにアクセスし、複数の画像をスクロールするが、画像を１つも選択していないところを示す。
【００６８】
図８は、ユーザがモバイル端末上のギャラリーにアクセスし、第１画像を選択しているところを示す。
【００６９】
図９は、ユーザがモバイル端末上のギャラリーにアクセスし、第２画像を選択しているところを示す。
【００７０】
図１０は、ユーザがモバイル端末上のギャラリーにアクセスし、（前に送信された画像である）第３画像を選択しているところを示す。
【００７１】
図１１は、ユーザがモバイル端末上のギャラリーにアクセスし、第３画像を選択しているところを示す（選択の開始から選択の終了までと複数の識別子の除去を示す）。
【００７２】
これらの例において、ギャラリーは、多数の画像を含み、送信および共有を試みるたびに、９つの画像までがギャラリーから選択されることができる。先ず、ユーザは、モバイル機器上のギャラリーにアクセスする。ユーザは、ギャラリーの最初のページから、９つの画像を次々に選択し、これらの９つの画像の送信および共有を終了する。９つの画像は、第１位置画像として使用されて、マーキングされ、最初の８つの画像は、動的識別でマーキングされ、最後の画像は、特殊スタイル識別でマーキングされる（あるいは、最後の画像だけが動的識別または特殊スタイル識別でマーキングされるか、複数の画像の全てが動的識別または特殊スタイル識別でマーキングされる）。特に、複数の第１位置画像は、以下のようにマーキングされ得る。
最初の８つの画像は、ジッタ識別を使用してマーキングされ、最後の画像は、フリッカ識別を使用してマーキングされる。すなわち、複数の画像が、初めて送信および共有された後、複数の第１位置画像は、ジッタ識別付きの８つの画像と、フリッカ識別付きの１つの画像とを含む（あるいは、最初の８つの画像は、「送信済」を示す特殊スタイル識別でマーキングされ、最後の画像は、ジッタ識別またはフリッカ識別で識別される）。第２に、ユーザは、ギャラリーに２度目のアクセスをする。スクリーンをスクロールするとき、ユーザは、ジッタ識別付きの画像が送信画像であり、フリッカ識別付きの画像が前に選択された最後の画像であることを理解し得る。このようにして、ユーザは、画像を選択するとき、フリッカ識別付きの画像が前に選択された最後の画像であると判断してそれを境界として設定し、この境界から直接閲覧し、この最後の画像後に現れる複数の画像を選択することが可能となる。プロセスはまた、ユーザが複数の前に選択された画像を迅速に位置付けし、複数の選択された画像を２度目の試みにて送信および共有し終えることを可能にする。また、２度目の試みにて選択された複数の画像は、複数の第２位置画像として使用され、マーキングされ、具体的な識別方法は、複数の第１位置画像向けのものと同一である。すなわち、ギャラリーへの次のアクセスの間の画像選択を容易にするため、２度目の試みにて選択された最初の８つの画像は、ジッタ識別でマーキングされ、最後に選択された画像は、フリッカ識別でマーキングされる。同じプロセスは、送信および共有される必要がある複数の画像の全てが選択されるまで継続する。例えば、フリッカ識別で画像にマーキングすることは、図面に示されていない。
【００７３】
また、１つの実施形態において、最初の試みにて選択された９つの画像に対して、最初の８つの画像は、「送信済」なる文字でマーキングされ得、９つの画像のうちの最後の画像は、「最後に送信済」なる文字でマーキングされ得る。このようにして、ユーザは、複数のマーキングされ、見つけられた画像から最後に送信された画像を直接見つけ、複数の画像のさらなるフィルタリングおよびマーキング用の境界として設定することができる。さらに、いくつかの実施形態において、複数の第１位置画像のマーキングは、複数の第２位置画像がマーキングされた時に自動的に除去され得、複数の第１位置画像のマーキングはまた、一定の期間後に自動的に除去され得る。具体的なマーキング方法の詳細は、ここで繰り返されないが、上述の複数のマーキング方法を参照することができる。
【００７４】
上記に説明されたことは、１つの実施形態において、選択された画像にマーキングする方法を提供するにすぎず、マーキング後に２度目の画像を選択するべく、どのようにギャラリーにアクセスするかは詳細に説明されていない。しかしながら、１つの実施形態において、選択された画像のマーキングは、最初の８つの画像がジッタ識別でマーキングされ、最後の画像がフリッカ識別でマーキングされる、前に提供された方法に限定されない。別の実施形態は、ユーザが、選択された画像のマーキングによって複数の送信された画像を迅速かつ効果的に識別することが可能である限り、代替案として使用され得る。従って、実施形態の複数の類似の変形は、ここで詳細に説明されてない。
【００７５】
本開示の複数の実施形態の複数の技術スキームのより良き理解を当業者に提供し、本開示の複数の実施形態の前述の目的、特徴、および利益をより明白かつ理解可能にするべく、以下において、本開示によって提供される例の特定の技術スキームに詳細な説明を提供するように添付図面が参照される。
【００７６】
図６は、本開示の実施形態により提供される画像送信方法のフロー図である。 
【００７７】
図に示されるように、１つの実施形態において、複数のユーザがスクリーンをスクロールする場合、複数の意図しない操作が発生し得る。例えば、送信された画像が誤ってタップされ、繰り返された画像の選択になり得る。別の場合は、送信された画像の繰り返し選択が、送信された画像を送信するために必要とされ得る。したがって、繰り返された送信、または、個人の意図しない操作のために、本開示の実施形態は、複数の画像の繰り返された選択および送信のための操作方法を提供し、１つの実施形態において、ユーザは先ず、ギャラリーにアクセスし（６０２）、複数の画像を選択し（６０４）、送信操作を終了する（６０６）。一方、複数の選択された画像は、複数の第１位置画像として使用され、それに従って識別される（６０８）。この実施形態において、図１０および図１１に示されるように、９つの画像は、各試みでの選択のための基準として設定され、すなわち、モバイル機器上のギャラリーの最初のアクセスに対して、ユーザは、ギャラリーの第１ページから複数の画像を選択し、複数の特殊スタイルで９つの選択された画像の全てを識別し、９つの選択された画像の送信および共有を終了する（６０６）。２度目にモバイル機器上のギャラリーにアクセスする場合、モバイル機器のスクリーンをスクロールすることにより、ユーザは、複数の特殊スタイルでマーキングされた複数の画像を識別し得、その結果、それらのマーキングされた画像に基づき複数の他の画像の選択が可能とされる（６１０）。 しかしながら、実際は、以下の２つのシナリオが起こり得る。（１）ユーザがスクリーンをスクロールする時、複数の特殊スタイルでマーキングされた画像をうっかりタップする場合があるシナリオ（すなわち、誤って送信された画像を選択する）。および、（２）ユーザがスクリーンをスクロールする時、この送信された画像を再送信する必要がある。どちらにしても、ユーザは、送信された画像を再選択する必要があるシナリオ。したがって、１つの実施形態において、繰り返された送信または選択の場合に、ユーザは、「送信済」の文字でマーキングされた画像、例えば、第１の試みでの８番目の送信画像をタップし、ユーザは、タッピングにより８番目の送信画像を選択し、この画像が「送信済」の文字でマーキングされる場合、この８番目の送信画像は、第１の試みで使用されたものとは異なる方法にて再マーキングされる（６１２）。この実施形態において、画像は、動的識別で再マーキングされ得、特に、８番目の画像は、フリッカ識別で再マーキングされ得る（６１４）。言い換えれば、８番目の送信画像は、再選択中にフリッカ識別でマーキングされ、それにより画像が前に送信されたことをユーザに促し、ユーザにこの画像を再送信することが必要であるかどうかを促し得る（６１６）。（再選択中の選択された画像のマーキングは、図面に示されていない。）
【００７８】
実際のアプリケーションでは、ユーザは、複数の実際の状況に従って、画像を再送信することが必要であるかどうかを決定する必要がある（６１６）。８番目の送信画像を再送信することが必要である場合、ユーザは画像を再度タップしそれを選択する。一方、画像上の「送信済」の識別およびフリッカ識別は、図８に示されるように除去され（６１８）、選択された状態（ギャラリーへの各アクセスの間、選択された画像の全てが選択された状態にある）を表示するにすぎず、それにより画像の送信および共有を終了する（６２０）。８番目の送信画像を再送信することが必要ではない場合、ユーザはスクリーンをスクロールし続け、複数の他の画像を選択し、選択操作を終了する。このようにして、複数の画像の再選択プロセスが完了され、それにより複数の画像をスクロールする時の意図しない操作を効果的に低減し、画像選択中の複数の不必要な繰り返しの選択を最小限にする。
【００７９】
１つの実施形態において、ユーザが複数の送信された画像を再送信し、複数の画像の送信および共有を終了した後、この試みでの複数の送信された画像は、再マーキングされる必要がある（６２０）。すなわち、複数の選択および送信された画像は、各試みにてマーキングされる必要があり、その結果、ギャラリーへの次のアクセスにて、複数の画像は、最後の試みの複数のマーキングされた画像に従って直接フィルターをかけられ、それにより複数の画像をスクロールする時に費やされる時間を効果的に短縮化し、フィルタリング効率を改善することができる。さらに、実施プロセスにおいて、ユーザは、画像選択のために再度ギャラリーにアクセスし、複数の第２位置画像を選択する場合、複数の第２位置画像は、マーキングされる。一方、複数の第１位置画像のマーキングは除去され、その結果、複数の２番目にマーキングされた画像は、ギャラリーへの次のアクセスのためのリファレンスとなり、複数の前に送信された画像の高速識別を可能にする。しかしながら、複数の第２位置画像がマーキングされている場合、複数の第１位置画像は、マーキングされた状態を維持し得、すなわち、複数の第１位置画像および複数の第２位置画像は同時に存在し得、その結果、ギャラリーが再度アクセスされた場合、複数の送信された画像上の情報が明らかに取得され得る。それにもかかわらず、１つの実施形態において、複数の画像の長引いたマーキングを防止するべく、自動時間マーキングがマーキングされた画像に対して設定されてよく自動時間マーキング期間は１時間でよい（６０４）。言い換えれば、画像上のマーキングは、画像がマーキングされた後１時間続き、マーキングは、１時間後に自動的に除去される。これにより、複数のギャラリー画像上の期限を定めたマーキングを実行することを可能にする。
【００８０】
さらに、１つの実施形態において、再選択の間、複数の第２位置画像は、再選択された複数の送信された画像に対して再マーキングされ、これらを複数の他の選択された画像と区別し得る。この実施形態において、「送信済」なる文字を有する画像がフリッカ識別で再マーキングされるが、１つの実施形態において、複数の送信された画像の再マーキングは、この実施形態に提供される複数のマーキング方法に限定されない。ジッタ識別でマーキングされた送信された画像は、それを区別するべく激しいジッタで再マーキングされ、ユーザにそれが送信された画像であることを促し得る。送信された画像向けの複数のマーキング方法は、これに限定されないが、本明細書中に一つずつ例示および図示されない。複数のマーキング方法は、再マーキング方法が前の試みにて使用されたものとは異なるように変化し得る。次に、複数のユーザが促され、かれらは２種類の画像を区別することが可能である。
【００８１】
本開示によって実施される画像選択方法は、以下を含む。ユーザは、閲覧および選択された画像にマーキングし、複数のマーキングされた画像をリファレンスとして使用することによって、ユーザは、ギャラリーに後でアクセスする時に、送信および共有するためにギャラリーから複数の他の画像を選択し得る。この周期は、繰り返され、複数の選択された画像は、次のフィルタリングプロセスでの複数の画像の位置付けおよび迅速な選択のために各試みにてマーキングされ、それによりギャラリーの複数の画像の送信および共有を終了する。この方法は、各試みにて選択および送信される複数の画像の迅速な位置付けを可能にし、提供された境界によって次の画像選択を容易にする。さらに、方法は、フィルタリング速度および効率を効果的に向上する。また、再選択方法の概要は、その方法がギャラリーの複数の画像の意図しない操作および繰り返し送信の可能性を防止または低減することができることを示す。
【００８２】
この明細書の各実施形態は、進歩的な方法にて説明され、実施形態の各々の間で同一または類似部分に相互参照をすることができ、各実施形態の説明は、複数の他の実施形態とのそれの複数の相違に集中する。上記の複数の実施形態に説明される複数の方法は、概略的にすぎない。複数のマーキング方法と、マーキングプロセスに関連して説明された複数のマーキング方法とにおいて、画像は、ソフトウェアによってマーキングされても、されなくてもよく、ユーザの指がタッチスクリーン上に表示された画像情報をタップする時に、タッチスクリーン上のマーキングユニットによってマーキングされてもよい。マーキングユニットは、ソフトウェアセクションに位置付けされてよく、または、モバイル機器のタッチスクリーン上に配置されたハードウェアユニットであってよい。複数のモジュールの一部または全てを、実際の必要に基づく複数の実施形態スキーム複数の目的を実施するべく選択することができる。これは、創造的な努力をすることなく、当業者によって理解され実施され得る。
【００８３】
本開示は、数多くの汎用または専用コンピューティングシステムの環境または構成、たとえばパーソナルコンピューター、サーバーコンピューター、ハンドヘルドデバイス、または携帯デバイス、タブレットデバイス、ネットワークＰＣ、ミニコンピューター、メインフレームコンピューターおよびそれらのシステムまたはデバイスのいずれかを含む分散コンピューティング環境などに適用可能であることは理解されよう。
【００８４】
「第１（ｆｉｒｓｔ）」および「第２（ｓｅｃｏｎｄ）」などの関係用語は、あるエンティティまたは操作と別のエンティティまたは操作を区別するべく本明細書中にて使用されたにすぎず、これらの実際の関係または順序がこれらのエンティティまたは操作のために存在することを必ずしも必要または暗示するものではないことに留意すべきである。さらに、「含む」、「備える」またはそれらの他の変形なる用語は、一連の要素を含むプロセス、方法、物品またはデバイスが、それらの要素だけでなく、明白に列挙されていない複数の他の要素、またはそのようなプロセス、方法、物品またはデバイスに固有である複数の要素を含むように、非排他的包含を網羅するように意図される。「１つ...を備える」との記述によって定義される要素は、さらなる限定なしで、要素を含むプロセス、方法、物品またはデバイスにて追加の同一の要素の存在を排除しない。
【００８５】
上記の説明は、本開示の複数の特定の実施形態にすぎず、その結果、当業者なら本開示を理解し、実施することができる。これらの実施形態に対する多種多様な変形例は、当業者には容易に明らかであり、本明細書中に明確にされる複数の一般原理は、本開示の精神または範囲から逸脱することなく、複数の他の実施形態に実施され得る。従って、本開示は、本明細書中に例示されるこれらの実施形態に限定されず、ことによると最大限に本明細書中に開示される原理および新規性とむしろ一致するものである。
【００８６】
上記の説明は、本開示の複数の特定の実施形態にすぎない。改善および改良は、本開示の原理から逸脱することなく、当業者によりなされ得、これらの改善および改良も、本開示の保護範囲内に入ることに留意すべきである。
（項目１）
複数の画像を選択する方法であって、
モバイル機器で、識別画像を見つけることができるかどうかを決定するべく、上記モバイル機器のギャラリーの複数の画像を検索する段階を備え、
上記識別画像を見つけることができる場合は、
上記識別画像を境界として使用する段階と、
上記境界の外側の上記複数の画像から少なくとも１つの画像を選択する段階と、
上記選択された画像のうちの少なくとも１つにマーキングする段階とを備え、
上記識別画像を見つけることができない場合は、
上記ギャラリーの上記複数の画像から少なくとも１つの画像を選択する段階と、
上記選択された画像のうちの少なくとも１つにマーキングする段階と
を備える方法。
（項目２）
上記選択された画像のうちの少なくとも１つにマーキングする段階は、
上記ギャラリーから複数画像を選択する段階と、
順番に配置された上記複数画像から、最後の画像にマーキングする段階と、
上記最後の画像を位置画像として使用する段階と
を有する、項目１に記載の方法。
（項目３）
上記選択された画像のうちの上記少なくとも１つにマーキングする段階は、
上記ギャラリーから複数画像を選択する段階と、
上記選択された複数画像の全てにマーキングする段階と、
上記選択された複数画像を複数の位置画像として使用する段階と
を有する、項目１に記載の方法。
（項目４）
上記選択された画像にマーキングする段階は、
上記ギャラリーから複数画像を選択する段階と、
上記複数画像からの最後の画像と残りの複数の画像とに別々にマーキングする段階と、
上記最後の画像および複数の他の画像を複数の位置画像として使用する段階とを備え、上記最後の画像および複数の他の画像は異なるようにマーキングされる、項目１に記載の方法。
（項目５）
複数の選択された画像は、動的識別方法および特殊スタイル識別方法からなる識別方法のうちの少なくとも１つによってマーキングされる、項目１から４のうちのいずれか一項に記載の方法。
（項目６）
動的識別方法は、ジッタ識別方法およびフリッカ識別方法のうちの少なくとも１つを有し、特殊スタイル識別方法は、境界識別方法、テキスト識別方法および記号識別方法のうちの少なくとも１つを有する、項目５に記載の方法。
（項目７）
位置画像を見つけることができた場合、上記位置画像を境界として使用する段階と、上記境界の外側の上記複数の画像の複数の他の画像から複数画像を選択する段階とを含む手順はさらに、
上記位置画像が選択された場合、ユーザに上記位置画像を再選択するかどうかを決定するように促すべく再度上記位置画像をマーキングする段階と、
上記位置画像を再選択する必要がある場合、上記位置画像を再選択し、上記位置画像からマーキングを除去する段階と、
上記位置画像を再選択する必要がない場合、上記選択を継続し、上記位置画像以外の複数の画像を選択する段階と
を有する、項目１に記載の方法。
（項目８）
ギャラリーから複数画像を選択する装置であって、
上記ギャラリーの位置画像を検索する画像検索ユニットと、
上記位置画像を識別し、上記位置画像を境界として使用する画像識別ユニットと、
上記ギャラリーの、上記位置画像以外の複数の画像を選択する画像選択ユニットと、
複数の選択された画像にマーキングする画像マーキングユニットと
を備える装置。
（項目９）
複数の画像を送信する方法であって、
モバイル機器で、上記モバイル機器のギャラリーから複数画像を選択し、選択された上記複数の画像を送信する段階と、
第１の試みにて上記ギャラリーから選択された上記複数の画像を複数の第１位置画像として使用して、上記複数の第１位置画像にマーキングする段階と、
２度目に上記ギャラリーにアクセスする段階と、
上記複数の第１位置画像を境界として使用して、上記複数の第１位置画像以外の複数の画像を選択し続ける段階と、
上記複数の第１位置画像以外の選択された上記複数の画像を送出する段階と、
２度目の送信の試みにて上記複数の第１位置画像以外の選択された上記複数の画像を複数の第２位置画像として使用し、上記複数の第２位置画像にマーキングする段階と、
選択される必要がある画像の全てが選択され送信されるまで、複数の画像を選択するべく上記ギャラリーに再度アクセスする段階と
を備える方法。
（項目１０）
上記複数の第１位置画像は、上記第１の試みにて上記ギャラリーから選択された最後の画像を含み、上記複数の第１位置画像を複数の中間カットオフポイントとして使用する段階を備える、項目９に記載の方法。
（項目１１）
上記複数の第１位置画像は、上記第１の試みにて上記ギャラリーから選択された上記複数の画像の全てを含み、上記複数の第１位置画像は複数の送信された画像として識別され、複数の他の画像は上記複数の第１位置画像に基づき選択される、項目９に記載の方法。
（項目１２）
上記複数の第１位置画像は、上記第１の試みにて上記ギャラリーから選択された上記複数の画像の全てを含み、上記ギャラリーから選択された上記最後の画像と、複数の他の画像とは、別々にマーキングされ、上記最後の画像は、中間カットオフポイントとして使用される、項目９に記載の方法。
（項目１３）
上記複数の第２位置画像にマーキングするマーキング方法は、上記複数の第１位置画像にマーキングするマーキング方法と同じである、項目９に記載の方法。
（項目１４）
上記複数の第１位置画像および上記複数の第２位置画像は、ジッタ識別方法およびフリッカ識別方法のうちの少なくとも１つの識別方法、または、境界識別方法、テキスト識別方法および記号識別方法のうちの少なくとも１つの識別方法によってマーキングされる、あるいは、上記複数の第１位置画像および上記複数の第２位置画像は、ジッタ識別方法およびフリッカ識別方法のうちの少なくとも１つの識別方法と、境界識別方法、テキスト識別方法および記号識別方法のうちの少なくとも１つの識別方法とによって識別される、項目９から１３のうちのいずれか一項に記載の方法。
（項目１５）
ギャラリーから複数画像を選択および送信する装置であって、
上記ギャラリーの位置画像を検索する画像検索ユニットと、
上記位置画像を識別し、上記位置画像を境界として使用する画像識別ユニットと、
上記ギャラリーにて上記位置画像以外の複数の画像を選択する画像選択ユニットと、
上記画像選択ユニットによって選択された上記複数の画像を送信および共有する画像送信ユニットと、
送信および共有された上記複数の画像にマーキングする画像マーキングユニットと
を備える装置。
（項目１６）
ギャラリーから送出するための複数画像を選択する段階と、
ギャラリーにアクセスし、送信された画像が選択された場合、上記送信された画像に視覚的にマーキングする段階と
を備える方法。
（項目１７）
送信された画像に視覚的にマーキングする段階は、ジッタ識別方法およびフリッカ識別方法のうちの少なくとも１つを備える、項目１６に記載の方法。
【図１】
0006449981.tif 000002
【図２】
0006449981.tif 000003
【図３】
0006449981.tif 000004
【図４】
0006449981.tif 000005
【図５】
0006449981.tif 000006
【図６】
0006449981.tif 000007
【図７】
0006449981.tif 000008
【図８】
0006449981.tif 000009
【図９】
0006449981.tif 000010
【図１０】
0006449981.tif 000011
【図１１】
0006449981.tif 000012